(57)【要約】 【課題】  アナログ電話回線を使用停止し、全体をＶｏＩＰシステムへ変更した場合に、簡単な工事で、各部屋のアナログ電話機をＶｏＩＰシステムとして使用することができるＶｏＩＰシステムを得る。  【解決手段】  ＶｏＩＰボックス２の入力端子は、ＶｏＩＰポート４からのメタル線６を取り込み、ＶｏＩＰボックス２の内部では、前記入力端子から、内蔵されたローパスフィルタ７ａへ接続され、第１の出力端子に接続される第１の経路と、前記入力端子から、直接、第２の出力端子に接続される第２の経路とを有しており、前記第１の出力端子は、電話機８ａへ接続され、前記第２の出力端子は、部屋の電話ポート２００，３００に接続され、それぞれ個別のローパスフィルタ７ｂ，７ｃを介して、他の部屋の電話機８ｂ、および電話機８ｃと接続されたＶｏＩＰシステムとする。【選択図】  図１
2006311035.tif 000002
【特許請求の範囲】
【請求項１】
モデムと、前記モデムに内蔵されたＶｏＩＰポートと、ＶｏＩＰボックスと、複数の電話機と、前記電話機に接続された個別のローパスフィルタを主構成要素とするＶｏＩＰシステムにおいて、前記ＶｏＩＰボックスの入力端子には、前記ＶｏＩＰポートからのメタル線が接続され、ＶｏＩＰボックスの内部では、前記入力端子から、内蔵されたローパスフィルタを介して、第１の出力端子に接続される第１の経路と、前記入力端子から、直接、第２の出力端子に接続される、第２の経路とを有しており、前記第１の出力端子からは第１の電話機へ接続され、前記第２の出力端子からは部屋の電話ポートに接続され、前記電話ポートからは他の部屋の電話ポートに接続され、前記他の部屋の電話ポートからは個別のローパスフィルタを介して前記他の部屋の電話機に接続されたことを特徴とするＶｏＩＰシステム。
【請求項２】
前記モデムはＦＴＴＨ型モデムであって、宅外からの光ファイバ回線がＯＮＵを介してＬＡＮケーブルにより前記モデムの入力端子に接続されたことを特徴とする請求項１に記載のＶｏＩＰシステム。
【請求項３】
前記モデムは、ＯＮＵを内蔵したＦＴＴＨ型モデムであって、宅外からの光ファイバ回線が前記モデムの入力端子に直接接続されたことを特徴とする請求項１に記載のＶｏＩＰシステム。
【請求項４】
モデムと、前記モデムに内蔵されたＶｏＩＰポートと、ＶｏＩＰボックスと、複数の電話機と、前記電話機に接続された個別のローパスフィルタを主構成要素とするＶｏＩＰシステムにおいて、前記ＶｏＩＰボックスは、第１の入力端子と、第１の出力端子と、第２の入力端子と、第２の出力端子とを備え、前記第１の入力端子には部屋の電話ポートからのメタル線が接続され、前記第１の入力端子と第１の出力端子との間はハイパスフィルタあるいは直流カット用コンデンサの少なくともいずれかを介して接続され、また前記第２の入力端子には前記ＶｏＩＰポートからのメタル線が接続され、前記第２の入力端子と第２の出力端子との間は前記内蔵されたローパスフィルタを介して接続され、前記第２の入力端子と第１の入力端子との間が直接接続され、前記部屋の電話ポートからは、他の部屋の電話ポートに接続され、前記他の部屋の電話ポートからは個別のローパスフィルタを介して前記他の部屋の電話機に接続されたことを特徴とするＶｏＩＰシステム。
【請求項５】
前記モデムは、集合住宅内での宅内用ＶＤＳＬ型モデムであることを特徴とする請求項４に記載のＶｏＩＰシステム。
【請求項６】
前記メタル回線は、宅内のアナログ電話回線を使用停止した場合、宅内にて使用されなくなった配線であることを特徴とする請求項１または４のいずれかに記載のＶｏＩＰシステム。
【発明の詳細な説明】
【技術分野】
【０００１】
本発明は、アナログ回線、および光ファイバ回線の両方を使用していたが、前記アナログ回線を使用停止として、光ファイバ回線のみを使用する通信の条件下において、従来使用していたアナログ電話回線用の電話機を、再度使用するのに好適なＶｏＩＰ（Voice  Over  Internet  Protocol）システムに関する。    
【背景技術】
【０００２】
図３は、従来の一戸建て建物における光ファイバ回線と、アナログ電話回線との両方を使用した例である。また、図４は、従来の集合住宅における光ファイバ回線と、アナログ電話回線との両方を使用した例である。
【０００３】
図３は、従来の一戸建て建物における光ファイバ回線とアナログ回線の両方を使用した例を示す図である。図３に示すように、従来の一戸建て建物４０では、部屋ＡにＦＴＴＨモデム１５が設置され、電話回線５０は、部屋Ａの電話ポートを介して、前記ＦＴＴＨモデム１５のアナログ入力端子に接続され、また、光ファイバ回線１０は、ＯＮＵ（Optical  Network  Unit）２０を介して、ＬＡＮケーブル５１によって、前記ＦＴＴＨモデム１ａのデジタル入力端子に接続される。ＦＴＴＨモデム１５は、デジタル信号処理部５ａと、ＶｏＩＰポート４ａとで構成されており、デジタル信号処理部５ａの出力端子は、パソコン９１に接続され、ＶｏＩＰポート４ａの出力端子は、電話機８１ａに接続される。
【０００４】
ここで、電話回線５０は、さらに、部屋Ｂの電話ポート２００を介して、電話機８１ｂに接続され、また電話回線５０は、さらに、部屋Ｃの電話ポート３００を介して、電話機８１ｃに接続されている。
【０００５】
図４は、従来の集合住宅における光ファイバ回線とアナログ電話回線の両方を使用した例を示す図である。図４に示すように、従来の集合住宅４２では、光ファイバ回線１０を用いた、デジタルデータ通信と、電話回線５０によるアナログの音声通信の両方を、各住宅にて共通に使用している。電話回線５０は、集合型ＶＤＳＬモデム２１内のローパスフィルタ（ＬＰＦ）に接続され、一方、光ファイバ回線１０は、ＯＮＵに接続され、前記ＯＮＵからは、ＬＡＮケーブル５１にて、前記集合型ＶＤＳＬモデム２１内のハイパスフィルタ（ＨＰＦ）に接続される。前記集合型ＶＤＳＬモデム２１の出力端子からは、以降メタル線５２が使用され、ＶＤＳＬ信号が出力され、集合住宅内の各宅内にＶＤＳＬ信号が供給される。
【０００６】
ここで、図４では、住宅Ｃ（部屋Ａ、部屋Ｂ、部屋Ｃにて構成されている）の例が図示されており、メタル線５２が、部屋Ａの電話ポート１００を通過して、宅内ＶＤＳＬモデム１１に接続され、宅内ＶＤＳＬモデム１１内にて、ハイパスフィルタを通過した信号は、デジタル信号が選別されてパソコン９１に入る。また、宅内ＶＤＳＬモデム１１内にて、ローパスイルタを通過した信号は、音声アナログ信号が選別されており、電話機８１ａに入る。
【０００７】
また、部屋Ｂでは、メタル線５２から、電話ポート２００を通り、ローパスイルタ７１ｂを通過した音声信号は、電話機８１ｂに入る。また、部屋Ｃでは、メタル線５２から、電話ポート３００を通り、ローパスイルタ７１ｃを通過した音声信号は、電話機８１ｃに入る。                  
【０００８】
このように、光ファイバ回線１０からのデジタル信号は、部屋Ａのパソコンへ投入され、また、電話回線５０の音声アナログ信号は、部屋Ａの電話機８１ａ、および部屋Ｂの電話機８１ｂ、および部屋Ｃの電話機８１ｃにそれぞれ投入される。
【０００９】
ここで、特許文献１には、デジタル通信回線とアナログ通信回線とをそなえ、使用する電話機を、前記デジタル通信回線か、アナログ通信回線かに、切り替えられる通話装置アダプタについて記載されている。このようにデジタル通信回線とアナログ通信回線との両方を使用する通信系は、すでに一般に使用される形態となっている。
【００１０】
【特許文献１】特開２００１−２５７７９７号公報
【発明の開示】
【発明が解決しようとする課題】
【００１１】
従来の通信形体の場合、通信系の保持費用の削減のために、光ファイバ回線を専用として残し、アナログ電話回線を使用中止した場合、アナログの音声信号は全く受信できなくなり、図４の場合では、アナログ回線を使用した電話機８１ｂ、８１ｃは全く使用できず、実用上、支障が出る。
【００１２】
そこで、 本発明の課題は、アナログ電話回線、および光ファイバ回線の両方を使用していたが、前記アナログ電話回線を使用停止して、全体をＶｏＩＰシステムへ変更した場合に、簡単な工事で、従来通り、各部屋のアナログ電話機をＶｏＩＰシステムとして使用することがきるようにするＶｏＩＰシステムを提供することである。  
【課題を解決するための手段】
【００１３】
課題を解決するために、本発明のＶｏＩＰシステムは、光ファイバに、新たに音声信号に対応したデジタル信号を重畳させ、この音声信号を受け取るＶｏＩＰポートと、アナロク音声信号を配分するＶｏＩＰボックスと、各部屋の電話ポートと、電話機と、個別のローパスフィルタにて構成される。
【００１４】
即ち、本発明は、モデムと、前記モデムに内蔵されたＶｏＩＰポートと、ＶｏＩＰボックスと、複数の電話機と、前記電話機に接続された個別のローパスフィルタを主構成要素とするＶｏＩＰシステムにおいて、前記ＶｏＩＰボックスの入力端子には、前記ＶｏＩＰポートからのメタル線が接続され、ＶｏＩＰボックスの内部では、前記入力端子から、内蔵されたローパスフィルタを介して、第１の出力端子に接続される第１の経路と、前記入力端子から、直接、第２の出力端子に接続される、第２の経路とを有しており、前記第１の出力端子からは第１の電話機へ接続され、前記第２の出力端子からは部屋の電話ポートに接続され、前記電話ポートからは他の部屋の電話ポートに接続され、前記他の部屋の電話ポートからは個別のローパスフィルタを介して前記他の部屋の電話機に接続されたＶｏＩＰシステムである。 
【００１５】
また、本発明は、前記モデムはＦＴＴＨ型モデムであって、宅外からの光ファイバ回線がＯＮＵを介してＬＡＮケーブルにより前記モデムの入力端子に接続されたＶｏＩＰシステムである。
【００１６】
また、本発明は、前記モデムは、ＯＮＵを内蔵したＦＴＴＨ型モデムであって、宅外からの光ファイバ回線が前記モデムの入力端子に直接接続されたＶｏＩＰシステムである。
【００１７】
また、本発明は、モデムと、前記モデムに内蔵されたＶｏＩＰポートと、ＶｏＩＰボックスと、複数の電話機と、前記電話機に接続された個別のローパスフィルタを主構成要素とするＶｏＩＰシステムにおいて、前記ＶｏＩＰボックスは、第１の入力端子と、第１の出力端子と、第２の入力端子と、第２の出力端子とを備え、前記第１の入力端子には部屋の電話ポートからのメタル線が接続され、前記第１の入力端子と第１の出力端子との間はハイパスフィルタあるいは直流カット用コンデンサの少なくともいずれかを介して接続され、また前記第２の入力端子には前記ＶｏＩＰポートからのメタル線が接続され、前記第２の入力端子と第２の出力端子との間は前記内蔵されたローパスフィルタを介して接続され、前記第２の入力端子と第１の入力端子との間が直接接続され、前記部屋の電話ポートからは、他の部屋の電話ポートに接続され、前記他の部屋の電話ポートからは個別のローパスフィルタを介して前記他の部屋の電話機に接続されたＶｏＩＰシステムである。
【００１８】
また、本発明は、前記モデムを集合住宅内での宅内用ＶＤＳＬ型モデムとするＶｏＩＰシステムである。また、本発明は、前記メタル回線が宅内のアナログ電話回線を使用停止した場合、宅内にて使用されなくなった配線とするＶｏＩＰシステムである。
【発明の効果】
【００１９】
本発明によれば、アナログ電話回線、および光ファイバ回線の両方を使用していたが、前記アナログ電話回線を使用停止して、全体をＶｏＩＰシステムへ変更した場合に、簡単な工事にて、従来通り、各部屋のアナログ電話機をＶｏＩＰシステムとして使用することができるようにする ＶｏＩＰシステムを提供できる。  
【発明を実施するための最良の形態】
【００２０】
本発明のＶｏＩＰシステムは、アナログ電話回線、および光ファイバ回線の両方を使用していたが、以前使用していたアナログ電話電話回線の契約を解除した後であっても、光ファイバ回線のみの使用において、従来使用していたアナログ電話回線用の電話機を、そのままＶｏＩＰシステムとして音声通信できるようにするものである。一方、従来行っていた光ファイバ回線を使用したデータ通信は、同様に継続できるものである。
【００２１】
本発明のＶｏＩＰシステムの構成は、一戸建て建物の場合であって、モデムと、前記モデムに内蔵されたＶｏＩＰポートと、ＶｏＩＰボックスと、複数の電話機と、前記電話機に接続された個別のローパスフィルタを主構成要素とするＶｏＩＰシステムであって、前記ＶｏＩＰボックスの入力端子は、前記ＶｏＩＰポートからのメタル線を取り込み、ＶｏＩＰボックスの内部では、前記入力端子から、内蔵されたローパスフィルタへ接続され、第１の出力端子に接続される第１の経路と、前記入力端子から、直接、第２の出力端子に接続される第２の経路とを有しており、前記第１の出力端子は、第１の電話機へ接続され、前記第２の出力端子は、部屋の電話ポートに接続され、前記電話ポートからは、他の部屋の電話ポートに接続され、前記他の部屋の電話ポートからは個別のローパスフィルタを介して、それぞれの部屋の電話機と接続されたＶｏＩＰシステムである。
【００２２】
ここで、前記モデムは、ＦＴＴＨ型モデムであって、宅外からの光ファイバ回線がＯＮＵを介してＬＡＮケーブルにより前記モデムの入力端子に接続されている。
【００２３】
または、前記モデムは、ＯＮＵを内蔵したＦＴＴＨ型モデムであって、宅外からの光ファイバ回線が、前記モデムの入力端子に、直接、接続されている。    
【００２４】
本発明のＶｏＩＰシステムの、他の構成としては、集合住宅の場合であって、モデムと、前記モデムに内蔵されたＶｏＩＰポートと、ＶｏＩＰボックスと、複数の電話機と、前記電話機に接続された個別のローパスフィルタを主構成要素とするＶｏＩＰシステムであって、前記ＶｏＩＰボックスは、第１の入力端子と、第１の出力端子と、第２の入力端子と、第２の出力端子とを備え、前記第１の入力端子には、部屋の電話ポートを通過したメタル線が接続され、前記第１の入力端子と、第１の出力端子との間には、ハイパスフィルタ、あるいは直流カット用コンデンサのいずれかが接続される。また、前記第２の入力端子は、前記ＶｏＩＰポートからのメタル線を取り込み、内蔵されたローパスフィルタへ接続され、前記第２の出力端子へ接続される経路と、前記第２の入力端子から、直接、第１の入力端子に接続される経路とを有している。前記部屋の電話ポートは、他の部屋の電話ポートに接続され、個別のローパスフィルタを介して、前記他の部屋の電話機と接続されたＶｏＩＰシステムである。
【００２５】
ここで、前記モデムは、集合住宅内の宅内用ＶＤＳＬ型モデムである。
【実施例１】
【００２６】
図１は、本発明の実施例１による一戸建て建物におけるＶｏＩＰシステムの説明図である。図１に示すように、一戸建て建物４０に、光ファイバ回線１０だけが投入されている。光ファイバ回線１０は、一戸建て建物４０の宅内３０に入り、ＯＮＵ２０に接続される。前記ＯＮＵ２０からは、デジタル電気信号が出力され、ＬＡＮケーブル１２によって、  ＦＴＴＨモデム１に接続される。
【００２７】
前記ＦＴＴＨモデム１は、デジタル信号処理部５とＶｏＩＰポート４とで構成されている。ＦＴＴＨモデム１に投入された、デジタル信号（データ通信用デーダと、音声信号用データが混在している。）が、分離され、一方は、パソコン９に接続され、ＶｏＩＰポート４からの出力（アナログの音声出力）が 、メタル線６を経由して、ＶｏＩＰボックス２に入力される。ＶｏＩＰボックス２の内部は、入力端子から、ローパスフィルタ７ａを介して、第１の出力端子に接続される第１の経路と、第１の入力端子から、直接、第２の出力端子に接続される第２の経路が存在する。
【００２８】
前記ＶｏＩＰボックス２の第１の出力端子からは、その部屋Ａの電話機８ａに接続される。また、ＶｏＩＰボックス２の第２の出力端子は、電話ポート１００から、電話ポート２００を経由して、ローパスフィルタ７ｂに接続され、ついで部屋Ｂの電話機８ｂに接続される。さらに、ＶｏＩＰボックス２の第２の出力端子は、電話ポート１００から、電話ポート２００、および３００を経由して、ローパスフィルタ７ｃに接続され、ついで部屋Ｃの電話機８ｃに接続される。
【００２９】
以上のＶｏＩＰユニットの接続によって、各部屋の電話機８ａ，８ｂ，８ｃは、デジタル音声信号から変換されたアナログ音声信号にて駆動される。ここで、図１に示す各電話機は、他のアナログ端末機器、例えば、ファックス等としても良い。
【実施例２】
【００３０】
図２は、本発明の実施例２による集合住宅におけるＶｏＩＰシステムの説明図である。図２に示すように、集合住宅４１では、光ファイバ回線１１を用いた、デジタルデータ通信と、電話回線５によるアナログの音声通信の両方を、各住宅向けに共通しているが、ここで、住宅Ａでは、電話回線５の契約を解除しており、電話回線からのアナログ音声信号は、全く受け取れない状態である。      
【００３１】
本発明のＶｏＩＰシステムでは、このような住宅Ａの状態において、電話回線５の契約の解除後も、部屋Ｂの電話機８ｅと、部屋Ｃの電話機８ｆを、従来通り、使用できるようにする。                                                        
【００３２】
図２に示す電話回線５は、集合型ＶＤＳＬモデム１ａ内のローパスフィルタ（ＬＰＦ）に接続され、一方、光ファイバ回線１０ａは、ＯＮＵ２１に接続され、前記ＯＮＵ２１からは、ＬＡＮケーブル５１にて、前記集合型ＶＤＳＬモデム１ａ内のハイパスフィルタ（ＨＰＦ）に接続される。前記集合型ＶＤＳＬモデム１ａの出力端子からは、以降メタル線６１が使用され、ＶＤＳＬ信号が出力され、集合住宅内の各宅内にＶＤＳＬ信号が供給される。
【００３３】
図２では、住宅Ａ（部屋Ａ、部屋Ｂ、部屋Ｃにて構成されている）の例が図示されており、メタル線６１が、部屋Ａの電話ポート１００を通過して、ＶｏＩＰボックス２ａの第１の入力端子に接続される。前記ＶｏＩＰボックスは、第１の入力端子と、第１の出力端子と、第２の入力端子と、第２の出力端子の各端子を備えている。前記第１の入力端子には、部屋の電話ポート１００ａを通過したメタル線６１が接続され、前記第１の入力端子と、第１の出力端子との間には、ハイパスフィルタが接続されている。
【００３４】
第２の入力端子には、前記ＶｏＩＰポートからのメタル線を取り込み、内蔵されたローパスフィルタを介して接続され、前記第２の出力端子へ接続される経路と、前記第２の入力端子から、直接、第１の入力端子に接続される経路とを有している。
【００３５】
ここで、前記ＶｏＩＰボックス２ａの第１の出力端子は、宅内ＶＤＳＬモデム１ｂに入る。宅内ＶＤＳＬモデム１ｂ投入されたデジタル信号（データ通信用デーダと、音声信号用データが混在している）は分離され、一方はパソコン９に接続され、一方はＶｏＩＰポート４１からの出力（アナログの音声出力）となる。
【００３６】
前記ＶｏＩＰボックス２ａの第２の出力端子は、その部屋Ａの電話機８ｄに接続される。また、ＶｏＩＰボックス２ａの第１の出力端子は、電話ポート１００から、電話ポート２００を経由して、ローパスフィルタ７ｅに接続される。ついで部屋Ｂの電話機８ｅに接続され、電話機８ｅを動作させる。また、ＶｏＩＰボックス２ａの第１の入力端子は、電話ポート１００から、電話ポート２００、電話ポート３００を経由して、ローパスフィルタ７ｆに接続され、ついで部屋Ｃの電話機８ｆに接続され、電話機８ｆを動作させる。
【００３７】
このように、光ファイバ回線１１からのデジタル信号は、部屋Ａのパソコン９へ投入され、また、電話回線５の音声アナログ信号は、部屋Ａの電話機８ｄ、および部屋Ｂの電話機８ｅ、および部屋Ｃの電話機８ｆにそれぞれ投入される。ここで、図１に示す各電話機は、他のアナログ端末機器、例えば、ファックス等としても良い。
【図面の簡単な説明】
【００３８】
【図１】本発明の実施例１による一戸建て建物におけるＶｏＩＰシステムの説明図。
【図２】本発明の実施例２による集合住宅におけるＶｏＩＰシステムの説明図。
【図３】従来の一戸建て建物における光ファイバ回線と、アナログ電話回線との両方をを使用した例を示す図。
【図４】従来の集合住宅における光ファイバ回線と、アナログ電話回線との両方を使用した例を示す図。
【符号の説明】
【００３９】
１，１５    ＦＴＴＨモデム
１ａ，２１    集合型ＶＤＳＬモデム
１ｂ，１１    宅内ＶＤＳＬモデム
２，２ａ    ＶｏＩＰボックス
４    ＶｏＩＰポート
５，５０    電話回線
７ａ，７ｂ，７ｃ，７ｄ，７ｅ，７ｆ    ローパスフィルタ
８ａ，８ｂ    電話器
９，９１    パソコン
１０，１０ａ    光ファイバ回線
１２，５１    ＬＡＮケーブル
２０，２０ａ    ＯＮＵ
４０    一戸建て建物
４１，４２    集合住宅
５２，６１    メタル線
１００，２００，３００    電話ポート
【図１】
2006311035.tif 000003
【図２】
2006311035.tif 000004
【図３】
2006311035.tif 000005
【図４】
2006311035.tif 000006